(57)【特許請求の範囲】
【請求項１】
縦方向に延びる複数の縦線と、この縦線の外側面に溶着された横方向に延びる複数の横線とをそれぞれ有する左右２つのフェンス用網状パネルの隣接端部間を接続金具組立体により、所望の相互角度で接続する構造であって、
前記接続金具組立体は、前記各網状パネルの垂直の内側面に沿うように互いに上下左右勝手違いに配置される同形一対の第１及び第２のヒンジ金具と、これら第１および第２のヒンジ金具を互いに角度調整自在に連結するための枢支部材と、前記第１および第２のヒンジ金具をそれぞれ前記第１および第２の網状パネルに固定するための係止部材と、を具備し、
前記第１及び第２のヒンジ金具は、それぞれ屈曲金属板からなり、前記網状パネルの垂直の内側面に沿う概略矩形状の固定板部と、この固定板部における網状パネルの隣接端部側である先端側の所定長さ部分の上下幅の中間位置で直角に起立して水平に内方へ突出する平面視概略円弧状の周縁を持つ軸受け板部と、固定板部の先端側に連続し前記軸受け板部の円弧状の周縁の外周を囲む概略半円筒状のカラー部と、を具備し、
前記固定板部は、水平方向に並んで水平方向に延びる２つの長孔を具備し、
前記軸受け板部は、それぞれ周縁の円弧の中心位置にボルト挿通孔を有し、互いに当該ボルト挿通孔を合致させて重合するように配置され、
前記枢支部材は、前記軸受け板部のボルト挿通孔に挿通されるボルトと、これに螺合されるナットとを具備し、
前記係止部材は、前記網状パネルの横線又は縦線に掛けられ前記固定板部の長孔に挿通されるフックボルトと、これに螺合されるナットとを具備することを特徴とするフェンス用網状パネルの接続構造。
【請求項２】
請求項１に記載の網状パネル用接続金具組立体。
【発明の詳細な説明】
【技術分野】
【０００１】
本発明は、フェンスを構成する網状パネル同士を所望の相互角度をもって、横方向に接続する構造と、これに用いられる接続金具組立体に係り、特に、各網状パネルが、縦方向の複数の縦線と横方向の複数の横線とを有してなるものの接続構造に関する。
【背景技術】
【０００２】
従来、フェンス用のコーナー継ぎ手金具として、特許文献１に提案されたものがある。この継ぎ手金具は、一方のフェンスと他方のフェンスとを互いに角度調整自在に連結するためのフェンス用コーナー継手金具であって、一方のフェンスに固定される一方の固定金具と、他方のフェンスに固定される他方の固定金具と、一方の固定金具と他方の固定金具とを互いに連結するための連結金具とからなる。連結金具は、一方の固定金具および他方の固定金具にそれぞれ枢着され、連結金具の長さは、一方のフェンスと他方のフェンスとの連結角度に応じて伸縮可能である。
【先行技術文献】
【特許文献】
【０００３】
【特許文献１】特開２０００−８６５５号公報
【発明の概要】
【発明が解決しようとする課題】
【０００４】
上記従来の継手金具は、比較的構造が複雑で、部品点数も多く、高価なものとなる。したがって、本発明は、フェンスを構成する網状パネル同士を所望の相互角度をもって、横方向に接続する構造であって、簡易で安価に得られ、外観の体裁も良好なものを提供することを目的としている。
【課題を解決するための手段】
【０００５】
以下、添付図面の符号を参照して説明するが、本発明はこれに限定されるものではない。
上記課題を解決するための、本発明の網状パネルのコーナー接続構造は、縦方向に延びる複数の縦線２と、この縦線２の外側面に溶着された横方向に延びる複数の横線３とをそれぞれ有する左右２つのフェンス用網状パネル１の隣接端部間の接続構造であり、当該隣接端部間は、接続金具組立体１１により接続される。接続金具組立体１１は、各網状パネル１の垂直の内側面に沿うように互いに上下左右勝手違いに配置される同形一対の第１及び第２のヒンジ金具１２と、これらのヒンジ金具１２を互いに角度調整自在に連結するための枢支部材１３と、ヒンジ金具１をそれぞれ第１および第２の網状パネル１に固定するための係止部材１４とを具備する。ヒンジ金具１２は、それぞれ金属板材を屈曲成形してなり、網状パネル１の垂直の内側面に沿う概略矩形状の固定板部１５と、この固定板部１５における網状パネル１の隣接端部側である先端側の所定長さ部分を上下幅の中間位置まで水平に内方へ切り起こして形成される平面視概略円弧状の周縁を持つ軸受け板部１６と、固定板部１５の先端側に連続し軸受け板部１６の円弧状の周縁１６ａの外周を囲むカラー部１７とを具備する。固定板部１５は、水平方向に並んで水平方向に延びる２つの長孔１５ａを具備する。軸受け板部１６は、それぞれ周縁１６ａの円弧の中心位置にボルト挿通孔１６ｂを有し、互いに当該ボルト挿通孔を合致させて重合するように配置される。枢支部材１３は、軸受け板部１６のボルト挿通孔１６ｂに挿通されるボルト１３ａと、これに螺合されるナット１３ｂとを具備する。係止部材１４は、網状パネル１の横線３又は縦線２に掛けられ固定板部１５の各長孔１５ａにそれぞれ挿通されるフックボルト１４ａと、これに螺合されるナット１４ｂとを具備する。
【発明の効果】
【０００６】
本発明のフェンス用網状パネルの接続構造によれば、隣接する網状パネル１同士を所望の相互角度をもって接続することができ、簡易で安価に得られる。枢支部材を構成するボルト１３ａとナット１３ｂが、カラー部１７によってフェンスの外側から隠されるので、外観の体裁が良好であり、また外側からボルト１３ａナット１３ｂが抜き取られる可能性が低減される。
【図面の簡単な説明】
【０００７】
【図１】本発明に係る網状パネルの接続構造を示す斜視図である。
【図２】図１の網状パネルの接続構造を示す平面図である。
【図３】図１の網状パネルの他の相互角度での接続構造を示す平面図である。
【図４】図１の網状パネルの他の相互角度での接続構造を示す平面図である。
【図５】図１の網状パネルの接続構造におけるヒンジ金具の正面図である。
【図６】図１の網状パネルの接続構造におけるヒンジ金具の平面図である。
【発明を実施するための形態】
【０００８】
図面を参照して本発明の実施の形態を説明する。
図１において、２つの網状パネル１は、隣接端部において所定角度に屈折して接続され、フェンスを構成する。網状パネル１は、縦方向に延びる複数の縦線２と、この縦線２の外側面に溶着された横方向に延びる複数の横線３とを有する。以下、縦線２側を「内側」、その反対の横線３側を「外側」という。
【０００９】
左右２つの網状パネル１は、隣接端部において、接続金具組立体１１により、所定の相互屈折角度をもって支持される。接続金具組立体１１は、第１及び第２の同形一対のヒンジ金具１２と、これらを角度調整自在に連結する枢支部材１３と、網状パネル１に固定する係止部材１４とを具備する。
【００１０】
第１及び第２のヒンジ金具１２は、それぞれ金属板材を屈曲成形してなり、固定板部１５と、軸受け板部１６と、カラー部１７とを具備する。
固定板部１５は、概略矩形板状で、水平方向に並んで水平方向に延びる２つの長孔１５ａを具備し、網状パネル１の垂直の内側面に沿うように係止部材１４で固定される。
【００１１】
係止部材１４は、フックボルト１４ａと、これに螺合するナット１４ｂとを具備する。フックボルト１４ａは、網状パネル１の横線３に掛けられ、固定板部１５の長孔１５ａに挿通され、ナット１４ｂと協働して固定板部１５を縦線２の内側面に固定する。
【００１２】
軸受け板部１６は、固定板部１５における網状パネル１の隣接端部側である先端側の所定長さ部分を上下幅の中間位置まで水平に内方へ切り起こして形成される。軸受け板部１６は、平面視概略円弧状の周縁１６ａを持ち、この周縁１６ａの円弧の中心位置にボルト挿通孔１６ｂを有する。２つのヒンジ金具１２は、ボルト挿通孔１６ｂを合致させ、軸受け板部１６を上下に重合させるように配置される。
【００１３】
枢支部材１３は、軸受け板部１６のボルト挿通孔１６ｂに挿通されるボルト１３ａと、これに螺合されるナット１３ｂとを具備し、協働して２つのヒンジ金具１２を枢支する。
【００１４】
カラー部１７は、固定板部１５の先端側に連続し、軸受け板部１６の円弧状の周縁１６ａの外周を囲むように、概略半円筒状に湾曲している。
【００１５】
以上説明したフェンス用網状パネル１の接続構造によれば、隣接する網状パネル１同士を、ヒンジ金具１２の相互角度の調整により、所望の相互角度をもって接続することができる。枢支部材１３を構成するボルト１３ａとナット１３ｂが、カラー部１７によって、フェンスの外側から隠されるので、外観の体裁が良好であるばかりでなく、外側からボルト１３ａを抜き取るなどの故意の破壊行為による被害が低減される。
【符号の説明】
【００１６】
１      網状パネル
２      縦線
３      横線
１１    連結金具組立体
１２    第１及び第２のヒンジ金具
１３    枢支部材
１３ａ  ボルト
１３ｂ  ナット
１４    係止部材
１４ａ  フックボルト
１４ｂ  ナット
１５    固定板部
１５ａ  長孔
１６    軸受け板部
１６ａ  円弧状の周縁
１６ｂ  ボルト挿通得孔
１７    カラー部
【要約】
【課題】フェンスを構成する網状パネル同士を所望の相互角度で接続する簡易で体裁の良好な構造を提供する。
【解決手段】２つの網状パネル１は、接続金具組立体１１で接続される。接続金具組立体１１は、第１及び第２のヒンジ金具１２と、これらを角度調整自在に連結するボルト１３ａ、ナット１３ｂと、ヒンジ金具１２を網状パネル１に固定するフックボルト１４ａ、ナット１４ｂを具備する。ヒンジ金具１２は、網状パネル１の内側面に沿う固定板部１５と、水平の軸受け板部１６と、固定板部１５の先端側に連続して軸受け板部１６の円弧状の周縁１６ａを囲むカラー部１７とを持つ。固定板部１５は、水平の長孔１５ａを持つ。軸受け板部１６は、周縁１６ａの円弧の中心位置にボルト挿通孔１６ｂを有し、互いにボルト挿通孔１６ｂを合致させて重合する。
【選択図】図１【図１】
0005998242.tif 000002
【図２】
0005998242.tif 000003
【図３】
0005998242.tif 000004
【図４】
0005998242.tif 000005
【図５】
0005998242.tif 000006
【図６】
0005998242.tif 000007